(57)【要約】  【課題】本体からの排気をより好適に行うことができる電気掃除機を提供する。  【解決手段】電源コードを収容するためのコード収容室の後面を区画する周面板６７Ｂに、コード収容室内の空気を排気するための複数の排気孔８７を形成する。周面板６７Ｂの後方に対向するハウジング１１の後面に、周面板６７Ｂの排気孔８７とは前後方向に対向しないように、複数の排気孔１８を形成する。  【効果】ハウジング１１の排気孔１８から熱気が直接排気される構成のようにユーザが不快感を感じることがなく、また、コード出入口２０から熱気を排気させる構成のようにユーザが違和感を感じることもない。【選択図】        図４
2006174858.tif 000002
【特許請求の範囲】
【請求項１】
電源コードから本体に電力を供給して運転を行うことができる電気掃除機であって、
上記本体の外形を区画するハウジングと、
上記ハウジング内に形成され、上記電源コードを巻き付けた状態で収容することができるコード収容室と、
上記ハウジングに形成され、上記ハウジング内から空気を排気するための外排気孔と、
上記ハウジング内に上記外排気孔に対向するように配置され、上記コード収容室を区画する区画壁と、
上記区画壁に形成され、上記コード収容室から空気を排気するための内排気孔とを含むことを特徴とする電気掃除機。
【請求項２】
上記内排気孔は、上記外排気孔に対向しない位置に形成されていることを特徴とする請求項１記載の電気掃除機。
【請求項３】
吸込口から本体内に吸い込まれた空気に含まれる塵埃を捕獲することができる電気掃除機であって、
上記本体内に形成され、上記吸込口から上記本体内に吸い込まれた空気を通過させることにより、その空気に含まれる塵埃を捕獲するための袋状の集塵フィルタを収容する集塵室と、
上記集塵室の底部から上方に向かって突出するように形成され、上記袋状の集塵フィルタを下方から支持することができる下方リブとを含むことを特徴とする電気掃除機。
【請求項４】
上記集塵室の空気流通方向後側から空気流通方向前方に向かって突出するように形成され、上記袋状の集塵フィルタを空気流通方向後側から支持することができる後方リブをさらに含み、
上記下方リブと上記後方リブとが同一面内に延びるように形成されていることを特徴とする請求項３記載の電気掃除機。
【請求項５】
吸込口から本体内に吸い込まれた空気に含まれる塵埃を捕獲することができる電気掃除機であって、
上記本体内に形成され、上記吸込口から上記本体内に吸い込まれた空気を通過させることにより、その空気に含まれる塵埃を捕獲するための袋状の集塵フィルタを収容する集塵室と、
上記集塵室の空気流通方向後側から空気流通方向前方に向かって突出するように形成され、上記袋状の集塵フィルタを空気流通方向後側から支持することができる後方リブとを含むことを特徴とする電気掃除機。
【請求項６】
本体の外形を区画するハウジングと、
両端部が上記ハウジングに回動可能に取り付けられ、上記ハウジングに近接した収容状態と、この収容状態から回動されて把持可能となる把持可能状態との間で回動可能なハンドルと、
上記ハウジングの外表面に形成され、上記ハンドルが収容状態のときに、上記ハンドルが上記ハウジングの外表面と面一になるように上記ハンドルに近接する段部とを含み、
上記ハンドルが上記収容状態と上記把持可能状態との間で回動される際、上記ハンドルの両端部における上記段部側の角部が、上記段部に対して上記ハウジングと反対側の空間内で略円弧状軌跡を描くことを特徴とする電気掃除機。
【請求項７】
上記段部は、上記ハンドルが回動する際に上記ハンドルの両端部における上記段部側の角部が描く略円弧状軌跡の接線方向にほぼ沿うように延びていることを特徴とする請求項６記載の電気掃除機。
【請求項８】
本体の外形を区画するハウジングと、
両端部が上記ハウジングに回動可能に取り付けられ、上記ハウジングに近接した収容状態と、この収容状態から回動されて把持可能となる把持可能状態との間で回動可能なハンドルとを含み、
上記ハウジングには、
上記ハンドルが上記把持可能状態にあるときに、上記ハンドルの両端部における一方の角部に当接して、上記ハンドルの上記収容状態側から上記把持可能状態側への回動を規制する第１ストッパと、
上記ハンドルが上記把持可能状態にあるときに、上記ハンドルの両端部における他方の角部に当接して、上記ハンドルの上記収容状態側から上記把持可能状態側への回動を規制する第２ストッパとが形成されていることを特徴とする電気掃除機。
【請求項９】
上記ハウジングには、
上記ハンドルが上記把持可能状態にあるときに、上記ハンドルの両端部に当接して、上記ハンドルの両端部が上記ハンドルの回動方向に直交する方向に変位するのを規制する第３ストッパがさらに形成されていることを特徴とする請求項８記載の電気掃除機。
【請求項１０】
本体内に吸い込まれた空気に含まれる塵埃を捕獲することができる電気掃除機に適用され、上記本体内に塵埃が流入するのを許容し、上記本体内に捕獲された塵埃が外部に流出するのを阻止するための電気掃除機用逆止弁であって、
上記本体への入口を開閉するための弾性変形可能な弁体と、
上記弁体の外周縁の一部に結合されて、上記弁体を回動可能に保持する弁保持体と、
上記弁体における上記弁保持体との結合部近傍以外の部分に、その部分の厚みを増すために形成された補強リブとを含むことを特徴とする電気掃除機用逆止弁。
【請求項１１】
上記弁体の折れ曲がり方向と反対側の面には、上記電気掃除機の上記本体の外部から、上記本体内に空気を導入するための接続ホースを上記入口に差し込んだときに、その接続ホースに接触可能な突起が形成されていることを特徴とする請求項１０記載の電気掃除機用逆止弁。
【発明の詳細な説明】
【技術分野】
【０００１】
この発明は、吸込口から本体内に吸い込まれた空気に含まれる塵埃を捕獲することができる電気掃除機、および、この電気掃除機に適用され、本体内に塵埃が流入するのを許容し、本体内に捕獲された塵埃が外部に流出するのを阻止するための電気掃除機用逆止弁に関する。
【背景技術】
【０００２】
一般的な電気掃除機として、電動送風機を備えた本体と、床面に沿って移動される吸込具と、この吸込具を本体に接続する接続ホースとを備えており、本体内に使い捨ての袋状の集塵フィルタを装着することができるようになっているものがある。この種の電気掃除機を運転させると、本体に備えられた電動送風機の駆動により、吸込具から機外の空気（床面上の空気）が吸い込まれ、その空気が、接続ホースを通って本体に形成された吸込口から本体内に吸い込まれる。本体内には、吸込口に連通する集塵室が形成されており、この集塵室内に集塵フィルタが配置されている。吸込口から吸い込まれた空気に含まれる塵埃は、その空気が集塵室を通過する際に集塵フィルタにより捕獲される。集塵フィルタにより塵埃が捕獲された後の空気は、たとえば、本体の外形を区画するハウジングの後面（吸込口と反対側の面）に形成された排気孔から排気される（たとえば、特許文献１参照）。
【０００３】
本体内には、本体に電源を供給するための電源コードを巻き付けた状態で収容することができる。この電源コードは、本体からすべて引き出された状態で使用されない限り、その少なくとも一部が本体内に収容された状態で使用されることとなる。電源コードは、使用時（通電時）に熱を生じるため、電源コードの少なくとも一部が本体内に収容された状態で電気掃除機の運転が行われた場合には、電源コードを収容している部分（コード収容室）が高温になる。そこで、特許文献１に開示されている構成では、本体内に吸い込まれて塵埃が捕獲された後の空気の一部を、コード収容室を通過させて排気孔から排気することにより、コード収容室を冷却することができるようになっている。
【０００４】
しかしながら、上記のような構成では、コード収容室から排気孔を介して熱気が直接排気されるため、ユーザが不快感を感じることがある。そこで、コード収容室に対向する部分には排気孔を設けずに、電源コードの出入口からコード収容室内の熱気を排気させるような構成が考えられるが、この場合、排気孔以外の部分から熱気が排気されることにより、ユーザが違和感を感じることがある。
【０００５】
また、従来の電気掃除機では、集塵フィルタに塵埃がある程度貯まると、集塵フィルタの外表面が集塵室の内面に張り付いて、集塵室から流出する空気の流路が塞がれ、電気掃除機の吸込力が弱くなる場合があった。
特許文献１に開示されている電気掃除機には、本体を持ち上げる際に把持するためのハンドルが、その両端部を本体のハウジングに対して回動可能に取り付けられている。図９および図１０は、この種のハンドル１２３，２２３の構成について説明するための従来の電気掃除機本体３Ａ，３Ｂの側面図である。電気掃除機本体３Ａ，３Ｂは、その外形がハウジング１１により区画されており、ハウジング１１の前面に形成された吸込口１２からハウジング内に空気を吸い込んで、その空気に含まれる塵埃を捕獲することができる。ハンドル１２３，２２３は、略円弧形状を有しており、その両端部がハウジング１１の上部に回動可能に取り付けられている。この種のハンドル１２３，２２３は、使用しないときにはハウジング１１の外表面と面一の状態（収容状態；図９（ａ）および図１０（ａ）参照）で収容され、使用する際に収容状態から回動されて把持可能な状態（把持可能状態；図９（ｂ）および図１０（ｂ）参照）とされる。しかし、ハンドル１２３，２２３が回動される際には、ハンドル１２３，２２３の両端部のハウジング１１側（下方側）の角部が描く円弧状軌跡がハウジング１１と干渉してしまう。そこで、図９に示す例のように、ハウジング１１に当該角部を通過させるための凹部２７を設けたり、図１０に示す例のように、当該角部を削って曲率が比較的大きい湾曲部２８としたりすれば、ハンドル１２３，２２３がハウジング１１に干渉するのを防止できる。しかし、図９に示すような構成の場合には、ハウジング１１の形状が複雑になり、図１０に示すような構成では、角部が削られることにより、ハンドル２２３を収容状態としたときのハウジング１１との一体感が失われてしまう。
【０００６】
また、ハンドルのハウジングに対する取付態様によっては、ハンドルが把持可能状態で把持されたときに、ハンドルに加わる外力によって、ハンドルがハウジングから外れてしまったり、ハンドルが破損したりする場合があり、ハンドルを把持可能状態でより強固に保持することができるような構成が望まれている。
電気掃除機本体には、通常、吸込口から接続ホースが挿入されるようになっている。この種の電気掃除機の中には、吸込口から本体内（集塵室内）に塵埃が流入するのを許容し、本体内に捕獲された塵埃が吸込口から流出するのを阻止するための逆止弁が備えられているものがある。図３２は、従来の電気掃除機に備えられた逆止弁５２Ｂの構成例を示す図であって、（ａ）は正面図、（ｂ）は（ａ）に示す矢印Ｄ−Ｄに沿って見た断面図である。この逆止弁５２Ｂは、ゴムなどの弾性体により弾性変形可能に形成され、集塵室への入口を開閉するための略円形の弁体９５と、集塵室への入口に取り付けられた略円環状の部材であって、その内周面上部に弁体９５の周縁部の上端部が連結されることにより弁体９５を回動可能に保持する弁保持体９６とを備えている。弁体９５は、その弁保持体９６との結合部近傍の厚みが薄く形成されることにより、その部分で折れ曲がりやすくなっている。集塵室内に塵埃がある程度貯まると、貯まった塵埃の中に弁体９５が挟まる場合があるが、この場合、上記のような構成では、弁体９５の厚みが薄く形成されている部分の強度が低いため、集塵室内に貯まった塵埃を取り除く作業を行う際に弁体９５が引きちぎれるおそれがある。
【特許文献１】特開平９−１２２０５１号公報
【発明の開示】
【発明が解決しようとする課題】
【０００７】
この発明は、かかる背景のもとでなされたもので、その第１の目的は、本体からの排気をより好適に行うことができる電気掃除機を提供することである。
この発明の第２の目的は、集塵フィルタに塵埃がある程度貯まった場合でも、集塵室から流出する空気の流路が塞がれるのを防止できる電気掃除機を提供することである。
この発明の第３の目的は、ハウジングにハンドルの干渉を避けるための凹部を形成する必要がなく、かつ、ハンドルを収容状態としたときのハウジングとの一体感が失われることのない電気掃除機を提供することである。
【０００８】
この発明の第４の目的は、ハンドルを把持可能状態でより強固に固定することができる電気掃除機を提供することである。
この発明の第５の目的は、強度が向上された電気掃除機用逆止弁を提供することである。
【課題を解決するための手段】
【０００９】
上記目的を達成するための請求項１記載の発明は、電源コードから本体（３）に電力を供給して運転を行うことができる電気掃除機であって、上記本体の外形を区画するハウジング（１１）と、上記ハウジング内に形成され、上記電源コードを巻き付けた状態で収容することができるコード収容室（６４）と、上記ハウジングに形成され、上記ハウジング内から空気を排気するための外排気孔（１８）と、上記ハウジング内に上記外排気孔に対向するように配置され、上記コード収容室を区画する区画壁（６７Ｂ）と、上記区画壁に形成され、上記コード収容室から空気を排気するための内排気孔（８７）とを含むことを特徴とする電気掃除機である。
【００１０】
なお、括弧内の英数字は、後述の実施形態における対応構成要素を表す。以下、この項において同じ。
この構成によれば、コード収容室に空気を通過させてコード収容室を冷却する場合には、コード収容室を通過した空気（熱気）が、コード収容室を区画する区画壁に形成された内排気孔を通って、ハウジングの外排気孔から排気される。したがって、ハウジングの排気孔から熱気が直接排気される構成のようにユーザが不快感を感じることがなく、また、電源コードの出入口から熱気を排気させる構成のようにユーザが違和感を感じることもないので、本体からの排気をより好適に行うことができる。
【００１１】
請求項２記載の発明は、上記内排気孔（８７）は、上記外排気孔（１８）に対向しない位置に形成されていることを特徴とする請求項１記載の電気掃除機である。
この構成によれば、コード収容室を通過した空気（熱気）は、コード収容室を区画する区画壁に形成された内排気孔を通って、この内排気孔に対向するハウジングの壁面（外排気孔が形成されている部分以外の部分）に衝突した後、ハウジングの外排気孔から排気される。これにより、排気の勢いを緩めることができるので、本体からの排気をさらに好適に行うことができる。
【００１２】
請求項３記載の発明は、吸込口（１２）から本体（３）内に吸い込まれた空気に含まれる塵埃を捕獲することができる電気掃除機であって、上記本体内に形成され、上記吸込口から上記本体内に吸い込まれた空気を通過させることにより、その空気に含まれる塵埃を捕獲するための袋状の集塵フィルタ（７）を収容する集塵室（１３）と、上記集塵室の底部から上方に向かって突出するように形成され、上記袋状の集塵フィルタを下方から支持することができる下方リブ（６９）とを含むことを特徴とする電気掃除機である。
【００１３】
この構成によれば、下方リブにより袋状の集塵フィルタを下方から支持することにより、集塵室の内底面と集塵フィルタとの間に空間を形成することができる。これにより、集塵フィルタに塵埃がある程度貯まった場合でも、集塵フィルタの外表面が集塵室の内底面に張り付くのを防止して、上記空間により空気の流路を確保することができるので、集塵室から流出する空気の流路が塞がれるのを防止できる。
【００１４】
請求項４記載の発明は、上記集塵室（１３）の空気流通方向後側から空気流通方向前方に向かって突出するように形成され、上記袋状の集塵フィルタ（７）を空気流通方向後側から支持することができる後方リブ（７０）をさらに含み、上記下方リブ（６９）と上記後方リブとが同一面内に延びるように形成されていることを特徴とする請求項３記載の電気掃除機である。
【００１５】
この構成によれば、後方リブにより袋状の集塵フィルタを空気流通方向後側から支持することにより、集塵室の後面（区画壁）と集塵フィルタとの間に空間を形成することができる。これにより、集塵フィルタに塵埃がある程度貯まった場合でも、集塵フィルタの外表面が集塵室の後面に張り付くのを防止して、上記空間により空気の流路を確保することができるので、集塵室から流出する空気の流路が塞がれるのを防止できる。
【００１６】
特に、同一面内に延びるように形成された下方リブと後方リブとにより、集塵室の底部から集塵室の後面に形成された出口（通気口）に連通する流路を形成することができるので、集塵室からさらに良好に空気を流出させることができる。
請求項５記載の発明は、吸込口（１２）から本体（３）内に吸い込まれた空気に含まれる塵埃を捕獲することができる電気掃除機であって、上記本体内に形成され、上記吸込口から上記本体内に吸い込まれた空気を通過させることにより、その空気に含まれる塵埃を捕獲するための袋状の集塵フィルタ（７）を収容する集塵室（１３）と、上記集塵室の空気流通方向後側から空気流通方向前方に向かって突出するように形成され、上記袋状の集塵フィルタを空気流通方向後側から支持することができる後方リブ（７０）とを含むことを特徴とする電気掃除機である。
【００１７】
この構成によれば、後方リブにより袋状の集塵フィルタを空気流通方向後側から支持することにより、集塵室の後面（区画壁）と集塵フィルタとの間に空間を形成することができる。これにより、集塵フィルタに塵埃がある程度貯まった場合でも、集塵フィルタの外表面が集塵室の後面に張り付くのを防止して、上記空間により空気の流路を確保することができるので、集塵室から流出する空気の流路が塞がれるのを防止できる。
【００１８】
請求項６記載の発明は、本体（３）の外形を区画するハウジング（１１）と、両端部が上記ハウジングに回動可能に取り付けられ、上記ハウジングに近接した収容状態と、この収容状態から回動されて把持可能となる把持可能状態との間で回動可能なハンドル（２３）と、上記ハウジングの外表面に形成され、上記ハンドルが収容状態のときに、上記ハンドルが上記ハウジングの外表面と面一になるように上記ハンドルに近接する段部（２４）とを含み、上記ハンドルが上記収容状態と上記把持可能状態との間で回動される際、上記ハンドルの両端部における上記段部側の角部（２３Ｃ）が、上記段部に対して上記ハウジングと反対側の空間内で略円弧状軌跡を描くことを特徴とする電気掃除機である。
【００１９】
この構成によれば、ハンドルが収容状態と把持可能状態との間で回動される際、ハンドルの両端部における段部側の角部が、段部に対してハウジングと反対側の空間内で略円弧状軌跡を描くので、ハウジングにハンドルの干渉を避けるための凹部を形成したり、角部を削って湾曲部としたりしなくても、ハンドル（の端部）がハウジング（の段部）に干渉しない。したがって、ハウジングにハンドルの干渉を避けるための凹部を形成する必要がなく、かつ、ハンドルを収容状態としたときのハウジングとの一体感が失われることがない。
【００２０】
この場合、請求項７記載の発明のように、上記段部は、上記ハンドルが回動する際に上記ハンドルの両端部における上記段部側の角部が描く略円弧状軌跡の接線方向にほぼ沿うように延びていることが好ましい。
請求項８記載の発明は、本体（３）の外形を区画するハウジング（１１）と、両端部が上記ハウジングに回動可能に取り付けられ、上記ハウジングに近接した収容状態と、この収容状態から回動されて把持可能となる把持可能状態との間で回動可能なハンドル（２３）とを含み、上記ハウジングには、上記ハンドルが上記把持可能状態にあるときに、上記ハンドルの両端部における一方の角部（２３Ｂ）に当接して、上記ハンドルの上記収容状態側から上記把持可能状態側への回動を規制する第１ストッパ（３４Ａ）と、上記ハンドルが上記把持可能状態にあるときに、上記ハンドルの両端部における他方の角部（２３Ｃ）に当接して、上記ハンドルの上記収容状態側から上記把持可能状態側への回動を規制する第２ストッパ（３６Ａ）とが形成されていることを特徴とする電気掃除機である。
【００２１】
この構成によれば、ハンドルが把持可能状態にあるときには、ハンドルの両端部の一方側の角部を第１ストッパに当接させ、他方側の角部を第２ストッパに当接させることにより、ハンドルの収容状態側から把持可能状態側への回動を安定して規制し、把持可能状態で強固に保持することができる。
請求項９記載の発明は、上記ハウジング（１１）には、上記ハンドル（２３）が上記把持可能状態にあるときに、上記ハンドルの両端部に当接して、上記ハンドルの両端部が上記ハンドルの回動方向に直交する方向に変位するのを規制する第３ストッパ（３６Ｂ）がさらに形成されていることを特徴とする請求項８記載の電気掃除機である。
【００２２】
この構成によれば、ハンドルが把持可能状態にあるときには、ハンドルの両端部がハンドルの回動方向に直交する方向に変位するのを第３ストッパにより安定して規制し、把持可能状態でさらに強固に保持することができる。
請求項１０記載の発明は、本体（３）内に吸い込まれた空気に含まれる塵埃を捕獲することができる電気掃除機に適用され、上記本体内に塵埃が流入するのを許容し、上記本体内に捕獲された塵埃が外部に流出するのを阻止するための電気掃除機用逆止弁（５２；５２Ａ）であって、上記本体への入口（５１）を開閉するための弾性変形可能な弁体（９５）と、上記弁体の外周縁の一部に結合されて、上記弁体を回動可能に保持する弁保持体（９６）と、上記弁体における上記弁保持体との結合部近傍以外の部分に、その部分の厚みを増すために形成された補強リブ（９７，９８；９７Ａ，９８Ａ）とを含むことを特徴とする電気掃除機用逆止弁である。
【００２３】
この構成によれば、補強リブが形成されていない部分で弁体を良好に折り曲げることができるとともに、その部分以外の部分に形成された補強リブにより、逆止弁の強度を向上することができる。
請求項１１記載の発明は、上記弁体（９５）の折れ曲がり方向と反対側の面には、上記電気掃除機の上記本体（３）の外部から、上記本体内に空気を導入するための接続ホース（５）を上記入口に差し込んだときに、その接続ホースに接触可能な突起（１００）が形成されていることを特徴とする請求項１０記載の電気掃除機用逆止弁（５２）である。
【００２４】
この構成によれば、接続ホースを吸込口に差し込むことにより、その接続ホースを突起に接触させて、弁体を若干折り曲げることができる。これにより、弁保持体の開口に対して弁体が若干開いた状態とすることができるので、電気掃除機の運転を開始させたときに弁体を開きやすくすることができ、これにより、電気掃除機の吸込力を向上できる。
【発明を実施するための最良の形態】
【００２５】
以下には、図面を参照して、この発明の実施形態について具体的に説明する。
図１は、この発明の一実施形態に係る電気掃除機の外観構成を示す側面図であって、吸込具４の一部を断面図で示している。以下の説明では、図１における左側を前方、右側を後方とし、図１における紙面手前側を左方、紙面奥側を右方として説明する。
図１を参照して、この電気掃除機は、電動送風機２を備えた本体３と、床面Ｆに沿って移動される吸込具４と、本体３と吸込具４とを接続する接続ホース５とを備えている。接続ホース５は、一端部が本体３に接続された可撓性を有する蛇腹状の第１ホース５Ａと、一直線状に延びるほぼ可撓性を有しない部材であって、第１ホース５Ａの他端部と吸込具４とを接続する第２ホース５Ｂとを含む。第２ホース５Ｂの第１ホース５Ａとの接続部近傍は、掃除を行う際にユーザが把持するための把持部８Ａが形成された手元部８を構成している。
【００２６】
掃除を行う際には、ユーザは、本体３に備えられた電動送風機２を駆動させた状態で、把持部８Ａを把持し、第２ホース５Ｂおよび第２ホース５Ｂに接続された吸込具４を移動させることにより、吸込具４の底面に形成された吸引口４Ａから床面Ｆ上の塵埃を空気とともに吸い込ませる。吸込具４の吸引口４Ａには、周面に螺旋状の翼（図示せず）が形成された回転ブラシ９が回転可能に配置されていて、この回転ブラシ９を高速で回転させることにより吸引口４Ａから塵埃を掻き込むことができるようになっている。回転ブラシ９は、吸引口４Ａから吸い込まれる空気の風圧で回転されるようになっていてもよいし、吸込具４内に備えられたモータ（図示せず）により回転されるようになっていてもよい。
【００２７】
吸込具４の吸引口４Ａから吸い込まれた空気は、接続ホース５を通って本体３内に流入する。本体３内には、一般に市販されている紙パックなどの使い捨ての集塵フィルタ７が収容されており、吸込具４から接続ホース５を介して本体３内に流入した空気に含まれる塵埃は、集塵フィルタ７を通過する際に捕獲されることとなる。本体３には複数の車輪６が回転可能に取り付けられており、この車輪６を床面Ｆに沿って転動させることにより、本体３を床面Ｆに沿って移動させることができるようになっている。
【００２８】
図２は、電気掃除機の本体３を左手前側上方から見た斜視図である。図３は、この本体３の左側面図である。図４は、この本体３の背面図である。図５は、この本体３の平面図である。図６は、この本体３の底面図である。
図２〜図６を参照して、本体３は、その外形が樹脂製のハウジング１１により区画されている。ハウジング１１の前面には、接続ホース５（第１ホース５Ａ）の端部が挿入され、ハウジング１１内への空気の入口を構成する吸込口１２が形成されている。ハウジング１１は、その上側部分（吸込口１２の中央部よりも上側の部分）を構成する上ハウジング１１Ａと、下側部分（吸込口１２の中央部よりも下側の部分）を構成する下ハウジング１１Ｂとを含む。
【００２９】
ハウジング１１内の前側（電動送風機２よりも前側）には、吸込口１２に連通する集塵室１３が形成されていて、この集塵室１３内に集塵フィルタ７を収容することができる。集塵室１３の上面は開口されており、その上面開口をダストカバー１６で覆うことができるようになっている。ダストカバー１６は、その後端部に左右方向に延びるように配置された回動軸（図示せず）を中心に回動可能であり、ダストカバー１６の前端部に形成された凹部１７にユーザが指を入れて、当該前端部を上方に持ち上げれば、ダストカバー１６を上方に回動させて集塵室１３を開放することができる。
【００３０】
ハウジング１１の後面には、複数の排気孔１８が形成されている。吸込口１２からハウジング１１内に吸い込まれ、集塵フィルタ７により塵埃が捕獲された後の空気の一部は、これらの排気孔１８から後方に向かって排気されることとなる。
ハウジング１１の底面前側の左右方向中央部には、左右方向に延びる回転軸（図示せず）を中心に回転可能な前輪６Ａ（車輪６）が配置されている。また、ハウジング１１の後部左右両側には、それぞれ左右方向に延びる回転軸（図示せず）を中心に回転可能な後輪６Ｂ（車輪６）が配置されている。後輪６Ｂの側面には、複数の排気孔１９が形成されている。ハウジング１１の後輪６Ｂに対向する位置には、複数の排気口（図示せず）が形成されており、集塵フィルタ７により塵埃が捕獲された後の空気の一部は、これらの排気口を介して後輪６Ｂの排気孔１９から左右方向に向かって排気される。
【００３１】
このように、本体３からの排気を後方および左右方向に分散させることにより、塵埃が捕獲された後の空気が本体３から排気される際の勢いを弱めて、ユーザに不快感を与えるのを防止できる。
ダストカバー１６は、ハウジング１１の上面中央部を構成する不透明な樹脂製の上面部１６Ａと、透明または半透明な樹脂により略円弧状に形成され、上面部１６Ａの周縁部の前側を取り囲む周面部１６Ｂとが、一体的に取り付けられることにより構成されている。ダストカバー１６は、その上面部１６Ａの後端部においてハウジング１１（上ハウジング１１Ａ）に対して回動可能に取り付けられている。上述した凹部１７は、ダストカバー１６の周面部１６Ｂの前端縁部に形成されている。
【００３２】
ハウジング１１（上ハウジング１１Ａ）の後面の右上端部には、この電気掃除機に外部から電力を供給するための電源コード（図示せず）をハウジング１１内に出し入れする際の出入口（コード出入口２０）が形成されている。ダストカバー１６の上面部１６Ａの後端部右側には、電源コードをコード出入口２０からハウジング１１内に収容するために押操作されるリールボタン２１が配置されている。ダストカバー１６の上面部１６Ａの後端部における左右方向中央部には、ＬＥＤなどの発光素子により発光されて所定の表示を行うための発光機構２２が配置されている。
【００３３】
ダストカバー１６の上面部１６Ａの周縁部の後側は、透明または半透明な樹脂により略円弧状に形成されたハンドル２３により取り囲まれている。このハンドル２３の両端部は、左右方向に延びる同一軸線を中心に、ハウジング１１（上ハウジング１１Ａ）に対して回動可能に取り付けられている。
図７は、ハンドル２３の回動態様を示す本体３の左側面図である。図８は、ハンドル２３の回動態様を示す本体３の斜視図であって、本体３を左後側上方から見た図を示している。
【００３４】
ハウジング１１（上ハウジング１１Ａ）の上面には、ダストカバー１６（の周面部１６Ｂ）が配置される部分およびハンドル２３が配置される部分に、後方側に向かって若干凹湾曲しつつ上り傾斜した段部２４が形成されている。ダストカバー１６を閉じた状態では、周面部１６Ｂが段部２４の前側に近接または当接して、ハウジング１１の外表面に対して面一となる。ハンドル２３は、段部２４の後側に近接または当接して、ハウジング１１の外表面に対して面一となる収容状態（図７（ａ）および図８（ａ）参照）と、この収容状態から上方に回動されて、ハンドル２３の中央部がハウジング１１と離間することにより、ハンドル２３が把持可能となる把持可能状態（図７（ｂ）および図８（ｂ）参照）との間で回動可能となっている。ハンドル２３が収容状態にあるときには、ハンドル２３がハウジング１１（およびダストカバー１６）の外表面に対して面一となることにより、ハウジング１１とハンドル２３と（ダストカバー１６と）の一体感が生じ、見栄えがよい。このとき、ハンドル２３をダストカバー１６の周縁部１６Ｂと同一色にすれば、ハンドル２３とダストカバー１６（の周縁部１６Ｂ）との一体感が生じるので、さらに見栄えがよい。
【００３５】
ハンドル２３の左右両端部には、収容状態においてダストカバー１６の周縁部１６Ｂに対向する端面２３Ａと、この端面２３Ａの上下両端部にそれぞれ形成されたほぼ直角な角部（上角部２３Ｂおよび下角部２３Ｃ）とが形成されている。ハンドル２３を収容状態から把持可能状態に回動させると、上角部２３Ｂおよび下角部２３Ｃは、ハンドル２３をハウジング１１に対して回動可能に保持する回動軸２５を中心に、略円弧状の軌跡を描く。段部２４は、ハンドル２３が回動する際に下角部２３Ｃが描く略円弧状軌跡の接線方向にほぼ沿うように延びている。したがって、ハンドル２３が回動する際には、下角部２３Ｃは、段部２４の上方の空間２６内（段部２４に対してハウジング１１と反対側の空間２６内）で円弧状軌跡を描くこととなる。また、上角部２３Ｂは、ハンドル２３が収容状態から把持可能状態へと回動される際、ダストカバー１６の周面部１６Ｂの下方に形成された空間内に入り込み、ダストカバー１６やハウジング１１に接触することなく回動するようになっている。
【００３６】
このような構成によれば、ハンドル２３（の端部）がハウジング１１（の段部２４）に干渉しないようにするために、ハウジング１１にハンドル２３の干渉を避けるための凹部２７（図９参照）を形成する必要がなく、かつ、下角部２３Ｃを削って湾曲部２８（図１０参照）とすることにより、ハンドル２３を収容状態としたときのハウジング１１との一体感が失われることがない。
【００３７】
図１１は、ハンドル２３の外観図であって、（ａ）は、収容状態におけるハンドル２３の平面図、（ｂ）は、収容状態におけるハンドル２３の正面図、（ｃ）は、収容状態におけるハンドル２３の左側面図をそれぞれ示している。図１２は、ハンドル２３を取り外した状態における上ハウジング１１Ａの平面図である。図１３は、ハンドル２３を取り外した状態における上ハウジング１１Ａの左側面図である。図１４は、ハンドル２３が把持可能状態にあるときの上ハウジング１１Ａの平面図である。図１５は、ハンドル２３が把持可能状態にあるときの上ハウジング１１Ａの左側面図である。
【００３８】
図１１〜図１５を参照して、ハンドル２３の左右両端面２３Ａの内周縁部（ハンドル２３が収容状態のときにハウジング１１側となる周縁部）には、複数の段部（第１段部３１、第２段部３２および第３段部３３）が形成されている。より具体的には、第１段部３１は、端面２３Ａの内周縁部の最も内方側（対向する端部側）から左右方向にほぼ水平に延びる第１水平面３１Ａと、この第１水平面３１Ａの外方側（対向する端部と反対側）にほぼ垂直に交わる第１垂直面３１Ｂとにより形成され、第２段部３２は、第１垂直面３１Ｂの外方側の端部から左右方向にほぼ水平に延びる第２水平面３２Ａと、この第２水平面３２Ａの外方側にほぼ垂直に交わる第２垂直面３２Ｂとにより形成され、第３段部３３は、第２垂直面３２Ｂの外方側の端部から左右方向にほぼ水平に延びる第３水平面３３Ａと、この第３水平面３３Ａの外方側に鈍角を形成するように交わる傾斜面３３Ｂとにより形成されている（図１１（ｂ）参照）。
【００３９】
ハンドル２３の内面２３Ｄ（ハンドル２３が収容状態のときにダストカバー１６の上面部１６Ａの周縁部に対向する壁面）には、ハンドル２３の左右両端部寄りの位置に、それぞれ、左右方向に沿って内方側に突出する回動軸２５が形成されている。ハンドル２３は、これらの回動軸２５がハウジング１１（上ハウジング１１Ａ）の上面に形成された対応する軸受部２９（図１２および図１３参照）に回動可能に取り付けられることにより、ハウジング１１に対して回動自在となる。
【００４０】
ハウジング１１の上面には、ハンドル２３が把持可能状態にあるときにハンドル２３の上角部２３Ｂに対向する位置に、上方に向かって突出する第１突部３４が形成されている。この第１突部３４の先端面は、ほぼ水平方向に延びる平坦面３４Ａとなっており、ハンドル２３が把持可能状態にあるときには、ハンドル２３の上角部２３Ｂ（より具体的には、ハンドル２３が収容状態にあるときに端面２３Ａの上端部となる部分３５（図１１（ｂ）参照））が第１突部３４の平坦面３４Ａに当接して、ハンドル２３の収容状態側から把持可能状態側への回動（図１５における反時計回りの回動）が規制されるようになっている。
【００４１】
また、ハウジング１１の上面における上記第１突部３４の後方側には、ハンドル２３が把持可能状態にあるときにハンドル２３の下角部２３Ｃに対向する位置に、上方に向かって突出する第２突部３６が形成されている。この第２突部３６の先端部は側面視略三角形状を有しており、この先端部の前端縁には、左右方向に沿ってほぼ鉛直方向に延びる第１鉛直面３６Ａが形成され、先端部の外方側の面には、前後方向に沿ってほぼ垂直に延びる第２鉛直面３６Ｂが形成されている。ハンドル２３が把持可能状態にあるときには、ハンドル２３の下角部２３Ｃ（より具体的には、端面２３Ａの第２水平面３２Ａ）が第２突部３６の第１鉛直面３６Ａに当接して、ハンドル２３の収容状態側から把持可能状態側への回動（図１５における反時計回りの回動）が規制されるとともに、ハンドル２３の下角部２３Ｃ（より具体的には、端面２３Ａの第２垂直面３２Ｂ）が第２突部３６の第２鉛直面３６Ｂに当接して、ハンドル２３の両端部の左右方向への変位が規制されるようになっている。
【００４２】
このような構成によれば、ハンドル２３が把持可能状態にあるときには、ハンドル２３の上角部２３Ｂを第１突部３４の平坦面３４Ａに当接させ、ハンドル２３の下角部２３Ｃを第２突部３４の第１鉛直面３６Ａに当接させることにより、ハンドル２３の収容状態側から把持可能状態側への回動を安定して規制し、把持可能状態で強固に保持することができる。
【００４３】
さらに、ハンドル２３が把持可能状態にあるときには、ハンドル２３の両端部が左右方向に変位するのを第２突部３４の第２鉛直面３６Ｂにより安定して規制し、把持可能状態でさらに強固に保持することができる。
図１６は、発光機構２２の構成を示す斜視図である。図１７は、発光機構２２の構成例２２Ａ，２２Ｂを示す図であって、発光機構２２Ａ，２２Ｂを左右方向に沿った鉛直面で切断したときの断面図である。
【００４４】
図１６および図１７を参照して、発光機構２２は、ＬＥＤ４０と、透明または半透明の樹脂により形成され、ＬＥＤ４０の上方側を覆うカバー部材４１とを含む。カバー部材４１は、ＬＥＤ４０から照射される光を拡散させるためのレンズ部４２と、このレンズ部４２の下端部に結合され、ＬＥＤ４０の周囲を取り囲んで光が漏れるのを阻止するためのカバー部４３とが一体的に形成された形状を有している。このように、レンズ部４２とカバー部４３とを一体的に形成すれば、発光機構２２の組立作業が容易になるとともに、部品点数を減らして製造コストを低減することができる。
【００４５】
レンズ部４２は、略直方体形状に形成され、ＬＥＤ４０から照射される光を拡散させるための拡散部４２Ａと、この拡散部４２Ａの上面から前後方向に延びるように上方に向かって突出する突条であって、ダストカバー１６の上面部１６Ａを貫通して外方に露出し（図５参照）、拡散部４２Ａで拡散された光により発光される発光部４２Ｂとを有している。拡散部４２Ａの下面には、ＬＥＤ４０を収容するための凹部４４が形成されている。この凹部４４の形状は、図１７（ａ）に示す凹部４４Ａのように、ＬＥＤ４０の外周面に対応する球面状であってもよいし、図１７（ｂ）に示す凹部４４Ｂように、その内面（たとえば、天面）に楔形状などの凹凸を有するような形状であってもよい。カバー部４３は、底面のない略中空直方体形状を有し、平面視でその面積がレンズ部４２の面積よりも大きく、その上面上にレンズ部４２が結合されている。
【００４６】
この実施形態では、カバー部材４１のうちレンズ部４２の発光部４２Ｂ以外の部分の外面、すなわち、レンズ部４２の拡散部４２Ａおよびカバー部４３の外面（図１６にハッチングを施して示している部分）は、いわゆるシボ加工が施されることにより、小さな凹凸を有するざらざらの表面とされ、発光部４２Ｂと比較して光の透過率が減少させられている。このような構成によれば、カバー部材４１の発光部４２Ｂ以外の部分から漏れる光を減少させて、発光部４２Ｂをより明るく照らし出すことができる。
【００４７】
図１８は、電気掃除機の本体３を前後方向に沿った鉛直面で切断したときの断面を左側から見た断面図である。図１９は、上ハウジング１１Ａを取り外した状態における本体３の平面図である。図２０は、図１８に示す矢印Ａ−Ａに沿って見た本体３の断面図である。図１９および図２０では、集塵フィルタ７を省略して示している。
図１８〜図２０を参照して、集塵室１３は、ハウジング１１内の前半分程度の空間に形成されていて、この集塵室１３内に配置される集塵フィルタ７は、たとえば、略矩形平板状であって、中央部に略円形状の入口が形成された台紙７Ａと、台紙７Ａの入口を後側から覆うように台紙７Ａに開口部が固定された袋状のフィルタ部７Ｂとを備えている。
【００４８】
集塵室１３の前面を区画する前面壁１３Ａには、吸込口１２に連通する略円形の開口５１が形成され、この開口５１の周縁部には、後述する略円環状のパッキン５２が取り付けられている。集塵室１３の前端上部（上面開口の前端部）には、集塵フィルタ７の台紙７Ａの上端縁を係止するための係止部材５３が回動可能に取り付けられている。ダストカバー１６を開いた状態で、上方から上面開口を介して集塵室１３内に集塵フィルタ７を挿入し、係止部材５３により台紙７Ａを係止して前方側に押さえつけることにより、台紙７Ａの入口と開口５１とを連通させた状態で台紙７Ａをパッキン５２に圧接させてシールすることができる。
【００４９】
ハウジング１１内の集塵室１３の後方における左側３分の２程度の空間には、電動送風機２を収容する送風機収容室５４が形成されている。電動送風機２の外側は、樹脂製の送風機カバー５５により覆われて、一体的な送風ユニット５６が構成されている。電動送風機２の駆動によって吸込口１２からハウジング１１内に吸い込まれた空気は、集塵フィルタ７を通過する際に、その空気に含まれる塵埃が捕獲され、塵埃が捕獲された後の空気は、集塵室１３と送風機収容室５４とを区画する区画壁５７に形成された開口５８から送風機収容室５４に流入する。この開口５８の周縁部には、略矩形に枠組みされた外枠５９に対して格子状にリブ（１つないし複数の縦リブ６０および横リブ６１）が掛け渡されることにより形成されたフィルタ保持枠６２が取り付けられ、このフィルタ保持枠６２により、たとえばウレタンなどの材料により形成され、集塵フィルタ７を通過した細塵を捕獲するための細塵フィルタ６３が、前方側から保持されている（図１９では、フィルタ保持枠６２および細塵フィルタ６３を省略して示している。）。
【００５０】
ハウジング１１内の集塵室１３の後方における右側３分の１程度の空間（集塵室１３の右側の空間）には、電源コードを収容するためのコード収容室６４が形成されている（図１９参照）。コード収容室６４には、コードリール６５が左右方向に延びる回転軸６６を中心に回転可能に配置されており、この電気掃除機を使用しないときには、電源コードをコードリール６５の外周面に巻き付けた状態でコード収容室６４に収容しておくことができる。コードリール６５は、リールサポータ６７により保持され、一体的なリールユニット６８として構成されている。上ハウジング１１Ａを取り付けた状態では、電源コードをハウジング１１内に出し入れするためのコード出入口２０が、コード収容室６４に臨むこととなる。コード収容室６４は、送風機収容室５４と連通していて、集塵室１３で塵埃が捕獲された後、開口５８を介して送風機収容室５４に流入した空気の一部は、コード収容室６４を通って排気孔１８，１９から排気されるようになっている。
【００５１】
集塵室１３の内底面の左端部には、その前後方向中央部から後方にかけて前後方向に延びる下方リブ６９が、上方に向かって突出形成されている。下方リブ６９の上端縁には、その前端から後方側に向かって上り傾斜した第１傾斜部６９Ａと、第１傾斜部６９Ａの後端から後方に向かってほぼ水平方向に延びる第１水平部６９Ｂと、第１水平部６９Ｂの後端から後方に向かって上り傾斜した第２傾斜部６９Ｃと、第２傾斜部６９Ｃの後端から後方に向かってほぼ水平方向に延びる第２水平部６９Ｄとが形成されている。第１水平部６９Ａは集塵室１３の前後方向中央部に位置し、第２水平部６９Ｄは集塵室１３の前後方向後端部に位置している。第２水平部６９Ｄは、フィルタ保持枠６２の下端（開口５８の下端）に位置している。
【００５２】
フィルタ保持枠６２の縦リブ６０の１つ（最も左側の縦リブ６０）は、正面視で、集塵室１３の内底面に形成された下方リブ６９の上方に、上下方向に沿った同一直線上に延びている。この縦リブ６０の下端部には、側面視略矩形状の後方リブ７０が前方に向かって突出形成されている。この後方リブ７０の下端縁は、下方リブ６９の第２水平部６９Ｄに近接した状態で対向している。後方リブ７０の前端縁は、ほぼ鉛直方向に延びていて、その下部が、下方リブ６９の第２傾斜部６９Ｃと第２水平部６９Ｄとの結合部近傍に位置している。このような構成により、下方リブ６９と後方リブ７０とは前後方向に沿った同一の鉛直面内に延びるように配置され、下方リブ６９の縁と後方リブ７０の縁とが、下方リブ６９の第２傾斜部６９Ｃから後方リブ７０の前端縁へと連続するようになっている。
【００５３】
この実施形態では、下方リブ６９により集塵フィルタ７（フィルタ部７Ｂ）を下方から支持することにより、集塵室１３の内底面と集塵フィルタ７との間に空間を形成することができるとともに、後方リブ７０により集塵フィルタ７（フィルタ部７Ｂ）を後側から支持することにより、区画壁５７と集塵フィルタ７との間に空間を形成することができる。これにより、集塵フィルタ７に塵埃がある程度貯まった場合でも、集塵フィルタ７（フィルタ部７Ｂ）の外表面が集塵室１３の内底面や区画壁５７に張り付くのを防止して、上記空間により空気の流路を確保することができるので、集塵室１３から流出する空気の流路が塞がれるのを防止できる。
【００５４】
特に、同一面内に延びるように形成された下方リブ６９と後方リブ７０とにより、集塵室１３の底部から開口５８に連通する流路を形成することができるので、集塵室１３からさらに良好に空気を流出させることができる。
ただし、集塵室１３内に下方リブ６９および後方リブ７０がいずれも形成されたような構成に限らず、下方リブ６９または後方リブ７０のいずれか一方が形成されたような構成であってもよい。
【００５５】
図２１は、上ハウジング１１Ａを取り外した状態における本体３の背面図である。図２２は、図２１に示す矢印Ｂ−Ｂに沿って見た断面図であって、送風ユニット５６を省略して示している。
送風機カバー５５の前端縁部には、ゴムなどの弾性体により形成された略円環状の前取付部７１が取り付けられ、送風機カバー５５の後面には、ゴムなどの弾性体により形成された背面視略矩形の後取付部７２が取り付けられている（図１８および図１９参照）。送風ユニット５６をハウジング１１内の所定位置（送風機収容室５４）に配置すると、前取付部７１が、送風機収容室５４の内底面の前端部から上方に向かって突出する支持リブ７３により下方から支持されるとともに、後取付部７２が、送風機収容室５４の内底面の後端部から上方に向かって突出する支持リブ７４により下方から支持されることとなる（図１８、図１９、図２１および図２２参照）。このように、弾性体を介して送風ユニット５６を支持することにより、電動送風機２の駆動により生じる振動がハウジング１１に伝わるのを抑制できる。
【００５６】
下ハウジング１１Ｂの底面後端部には、支持リブ７４が形成される位置の近傍に、外側から内側に向かって窪んだ窪み７５が形成されている。この窪み７５が形成されることにより、送風機収容室５４の内底面に、上方に向かってほぼ鉛直に立ち上がる鉛直面７５Ａと、この鉛直面７５Ａの上端から後方に向かってほぼ水平に延びる水平面７５Ｂとが形成され、当該内底面が底上げされている（図２２参照）。支持リブ７４は、上記水平面７５Ｂから上方に向かって突出するように形成されている。
【００５７】
支持リブ７４は、左右方向に延びる鉛直面に沿った平板部７４Ａと、この平板部７４Ａの左右両端縁からそれぞれ後方に向かって折れ曲がった折曲部７４Ｂとを有している。平板部７４Ａには、送風ユニット５６の後取付部７２の下部に対応する略矩形状の凹部７６が形成されていて、この凹部７６内に後取付部７２の下部を嵌め込んで支持することができるようになっている。すなわち、送風ユニット５６の後取付部７２は、支持リブ７４の凹部７６の底面で支持されるとともに、凹部７６の左右両側に形成されたアーム７７で左右方向に挟持され、左右方向への変位が規制される（図２１参照）。支持リブ７４の平板部７４Ａの左右両端縁に折曲部７４Ｂを形成することにより、両アーム７７を左右方向に撓みにくくすることができるので、電動送風機２をより強固に固定することができる。
【００５８】
この実施形態では、下ハウジング１１Ｂに形成された窪み７５により、下ハウジング１１Ｂの内底面が底上げされ、その底上げされた部分に支持リブ７４が形成されているので、支持リブ７４の上下方向の長さを短くすることができる。したがって、支持リブ７４の強度を向上することができ、電動送風機２をさらに強固に固定することができる。
図２３は、送風ユニット５６を左手前側上方から見た斜視図である。
【００５９】
図２３を参照して、送風ユニット５６の送風機カバー５５には、その後側部分の上端部に、ほぼ水平方向に延びる平坦面７８が形成されていて、この平坦面７８上に、この電気掃除機の動作を制御するための制御回路を含む基板７９が取り付けられている。基板７９の右端部には、この電気掃除機の運転時に高温になる放熱板８０が配置されている。基板７９には、電気掃除機に備えられた各種部品を基板７９に対して電気的に接続するための複数の配線８１が取り付けられている。
【００６０】
送風機カバー５５には、複数の配線８１のうちの少なくとも１つを固定するための固定リブ８２が、平坦面７８の左前端部から上方に向かって突出形成されている。固定リブ８２の先端縁には、下方に向かって延びる溝８２Ａが形成されていて、この溝８２Ａ内に配線８１を挟持することにより配線８１を固定することができるようになっている。図２３に示すように、固定リブ８２に固定された配線８１と送風機カバー５５の外表面との間の空間内に他の配線８１を通せば、これらの他の配線８１を固定するための固定リブを別途設けることなく、これらの他の配線８１を処理する（束ねる）ことができるので、構造を簡素化することができる。
【００６１】
図２４は、送風ユニット５６の平面図である。
図２４に示すように、送風機カバー５５の外周面に防音材８３，８４を巻けば、電動送風機２の駆動音を外部に漏れにくくすることができる。防音材には、通気性が比較的悪いフェルトにより形成され、送風機カバー２の少なくとも基板７９が配置されている部分の外周面を覆い、放熱板８０に対向する部分に開口８３Ａが形成されたフェルト防音材８３と、通気性が比較的よいウレタンにより形成され、フェルト防音材８３の開口８３Ａを覆うように放熱板８０に対向するウレタン防音材８４とが含まれる。
【００６２】
このような構成によれば、送風機カバー５５の外周面を主にフェルト防音材８３で覆って、防音効果を高めることができるとともに、電気掃除機の運転時に高温となる放熱板８０を通気性が比較的よいウレタン防音材８４で覆うことにより、放熱板８０から放射される熱を良好に外部に逃がすことができる。
この場合、ウレタン防音材８４の放熱板８０に対向する面を波形形状（複数の凸部および凹部を有する形状）に形成すれば、ウレタン防音材８４の凹部と放熱板８０との間に形成された空間を介して、放熱板８０から放射される熱を良好に外部に導くことができる。
【００６３】
ただし、フェルト防音材８３の開口８３Ａがウレタン防音材８４により覆われるような構成に限らず、ウレタン防音材８４を省略し、放熱板８０から放射される熱を、フェルト防音材８３に形成された開口８３Ａから外部に逃がすことができるような構成であってもよい。
図２５は、電気掃除機の本体３をリールユニット６８の直右方において前後方向に延びる鉛直面に沿って切断したときの断面を右側から見た断面図である。図２６は、リールユニット６８の右側面図である。
【００６４】
図２５および図２６を参照して、リールユニット６８には、電源コードを巻き付けるための略円筒状のコードリール６５と、このコードリール６５を保持するリールサポータ６７とが含まれる（図２６では、コードリール６５を省略して示している。）。コードリール６５は、その中心軸線寄りの内側空間に配置された付勢機構８５により、図２５における時計回りに回転するように付勢された状態で、リールサポータ６７により回転可能に保持されている。
【００６５】
リールサポータ６７は、コードリール６５の左側面を覆う側面板６７Ａと、コードリール６５の周面の一部（後側上部）を覆う周面板６７Ｂとが一体的に形成された樹脂製の部材であり、その内側にコード収容室６４を区画形成している。側面板６７Ａには、送風機収容室５４からコード収容室６４内に空気を流通させるための複数の通気孔８６が、左右方向に開口するように形成されている。周面板６７Ｂには、コード収容室６４内に流入した空気を当該コード収容室６４内から排気するための複数の排気孔８７が、前後方向に開口するように形成されている（図４、図１９および図２１参照）。リールサポータ６７の後方には、ハウジング１１の後面が対向している。
【００６６】
この実施形態では、集塵室１３で塵埃が捕獲され、送風機収容室５４に流入した空気を、リールサポータ６７の側面板６７Ａに形成された通気孔８６からコード収容室６４に流入させて、リールサポータ６７の周面板６７Ｂに形成された排気孔８７から排気させることにより、コード収容室６４を通過させてコード収容室６４（電源コード）を冷却することができる。この場合、コード収容室６４を通過した空気（熱気）が、コード収容室６４を区画する周面板６７Ｂに形成された排気孔８７を通って、ハウジング１１の後面に形成された排気孔１８から排気される。したがって、ハウジング１１の排気孔１８から熱気が直接排気される構成のようにユーザが不快感を感じることがなく、また、コード出入口２０から熱気を排気させる構成のようにユーザが違和感を感じることもないので、電気掃除機本体３からの排気をより好適に行うことができる。
【００６７】
また、この実施形態では、図４に示すように、リールサポータ６７の周面板６７Ｂに形成された複数の排気孔８７が、ハウジング１１の後面に形成された複数の排気孔１８に対向しない位置に配置されている。すなわち、リールサポータ６７の周面板６７Ｂに形成された複数の排気孔８７と、ハウジング１１の後面に形成された複数の排気孔１８とが、前後方向に重ならないように配置されている。このような構成によれば、コード収容室６４を通過した空気（熱気）は、コード収容室６４を区画する周面板６７Ｂに形成された排気孔８７を通って、この排気孔８７に対向するハウジング１１の壁面（排気孔１８が形成されている部分以外の部分）に衝突した後、ハウジング１１の排気孔１８から排気される。これにより、排気の勢いを緩めることができるので、電気掃除機本体３からの排気をさらに好適に行うことができる。
【００６８】
リールサポータ６７の前側上部には、上下方向に延びるブレーキアーム８８が、その中央部近傍に左右方向に延びるように取り付けられた回動軸８９を中心に回動可能に配置されている。このブレーキアーム８８の下端部には、コードリール６５の周面に当接する当接部材９０が取り付けられている（図２６では当接部材９０を省略して示している。）。
図２７は、リールサポータ６７の外観構成を示す図であって、（ａ）は右側面図、（ｂ）は背面図をそれぞれ示している。図２８は、ブレーキアーム８８の外観構成を示す図であって、（ａ）は平面図、（ｂ）は背面図、（ｃ）は左側面図をそれぞれ示している。
【００６９】
図２５〜図２８を参照して、リールサポータ６７の前側上部には、ブレーキアーム８８を、その上部がリールサポータ６７の上面から上方へと突出した状態で収容するためのブレーキアーム収容部９１が形成されていて、このブレーキアーム収容部９１の下部に回動軸８９が配置されている。ブレーキアーム収容部９１には、ブレーキアーム８８を図２６に示す時計回りに付勢するためのばね９２が配置されている（図２５では、ばね９２を省略して示している。）。ブレーキアーム収容部９１の後面を形成する後面壁９１Ａは、ほぼ鉛直方向に延びており、その前面に、ばね９２の後端部を被せて係止するための係止突起９３が、前方に向かって突出形成されている。ばね９２は、その後端部が係止突起９３に被せられた状態で前後方向に軸線が延びるように配置される。
【００７０】
ブレーキアーム８８の回動軸８９よりも上方側における後面には、ばね９２の前端部を収容するための収容凹部９４が形成されている。この収容凹部９４は、断面略矩形状であって、後面および左面が開口している。ブレーキアーム８８は、ブレーキアーム収容部９１の左内側面に当接または近接した状態で配置され、当該左内側面により、ブレーキアーム８８に形成された収容凹部９４の左面が閉塞されるようになっている。このようにしてブレーキアーム８８の収容凹部９４とブレーキアーム収容部９１の左内側面とで囲まれた空間内に、ばね９２の前端部が収容されることとなる。
【００７１】
ブレーキアーム８８の収容凹部９４をブレーキアーム収容部９１の左内側面に近接または当接させることにより、ばね９２の前端部を収容するための収容凹部９４が形成されるような構成とすることにより、ブレーキアーム８８の後面にばね９２の前端部を被せて係止するための係止突起を形成するような構成と比較して、ブレーキアーム８８の形状を簡素化することができ、ブレーキアーム８８の金型成形が容易になる。
【００７２】
ブレーキアーム８８の上端面には上方に突出するリールボタン２１が形成されており、ブレーキーアーム８８が取り付けられたリールユニット６８が電気掃除機本体３に装着された状態では、リールボタン２１がダストカバー１６の上面部１６Ａを貫通し、電気掃除機本体３の上方から下方に向かって押操作可能となる（図２５参照）。リールボタン２１が押操作されていない状態では、ブレーキアーム８８がばね９２により図２５に示す時計回りに付勢され、当接部材９０がコードリール６５の外周面に押し当てられることにより、コードリール６５が付勢機構８５の付勢力に抗して停止した状態で保持される。この状態からリールボタン２１が押操作されると、ブレーキアーム８８が、ばね９２の付勢力に抗して、図２５に示す反時計回りに回動する。これにより、当接部材９０がコードリール６５の外周面から離間して、コードリール６５が付勢機構８５の付勢力によって図２５における時計回りに回転し、電源コードがコード出入口２０からコード収容室６４内に引き込まれて、コードリール６５の外周面に巻き取られることとなる。
【００７３】
図２９は、集塵室１３の前面壁１３Ａに形成された開口５１に取り付けられるパッキン５２の一例を示す斜視図である。図３０は、このパッキン５２の構成を示す図であって、（ａ）は背面図、（ｂ）は（ａ）に示す矢印Ｃ−Ｃに沿って見た断面図である。図３１は、このパッキン５２が取り付けられた状態における電気掃除機本体３を前後方向に沿った鉛直面で切断したときの断面を左側から見た断面図である。
【００７４】
図２９〜図３１を参照して、このパッキン５２は、ゴムなどの弾性体により弾性変形可能に形成され、集塵室１３の前面壁１３Ａに形成された開口５１を開閉するための略円形の弁体９５と、開口５１に取り付けられた略円環状の部材であって、その内周面上部に弁体９５の周縁部の上端部が連結されることにより弁体９５を回動可能に保持する弁保持体９６とを備え、吸込口１２から電気掃除機本体３内（集塵室１３内）に塵埃が流入するのを許容し、電気掃除機本体３内に捕獲された塵埃が吸込口１２から流出するのを阻止するための逆止弁として機能するものである。
【００７５】
弁保持体９６の外周面には、開口５１の周縁部に嵌め込まれる円環状の溝９６Ａが形成されている。弁保持体９６の後面の周縁部には、後外方側に向かって突出し、外方に向かうにつれて前方側に向かうように湾曲した当接部９６Ｂが形成されている。図３１に示すように、集塵室１３内に集塵フィルタ７を収容した状態では、係止部材５３により台紙７Ａが係止されて前方側に押さえつけられ、台紙７Ａの入口と開口５１とを連通させた状態で、台紙７Ａがパッキン５２の当接部９６Ｂに圧接されてシールされることとなる。
【００７６】
弁体９５の後面には、弁体９５と弁保持体９６との結合部の左右両側に、上下方向に直線上に延びる１対の第１補強リブ９７が突出形成されている。また、弁体９５の後面には、弁体９５と弁保持体９６との結合部よりも下方における左右方向中央部の左右両側（より具体的には、１対の第１補強リブ９７よりも左右方向外側）に、１対の第２補強リブ９８が突出形成されている。弁体９５における弁保持体９６との結合部近傍（より具体的には、結合部の直下方側）には補強リブが形成されておらず、この部分は、開口５１を開閉するために弁体９５が折れ曲がる折曲部９９を形成している。このような構成により、弁体９５を折曲部９９で良好に折り曲げることができるとともに、折曲部９９以外の部分において補強リブ９７，９８により弁体９５の厚みを増加させることができるので、弁体９５と弁保持体９６との結合部近傍の厚みを薄く形成するような構成（図３２参照）と比較して、弁体９５の強度を向上することができる。
【００７７】
弁体９５の前面には、折曲部９９に対応する位置に、前方に向かって突出する突起１００が形成されている。この突起１００は、パッキン５２が開口５１に取り付けられた状態で、吸込口１２から差し込まれる接続ホース５（第１ホース５Ａ）の先端縁に接触可能な位置に形成されており、吸込口１２から接続ホース５を差し込むと、当該接続ホース５の先端縁が突起１００に接触（当接）し、弁体９５が後方側に若干折り曲げられる（図３１参照）。これにより、開口５１に対して弁体９５が若干開いた状態とすることができるので、電気掃除機の運転を開始させたときに弁体９５を開きやすくすることができ、これにより、電気掃除機の吸込力を向上できる。
【００７８】
図３３は、上記実施形態の変形例に係るパッキン５２Ａを示す図であって、（ａ）は正面図、（ｂ）は（ａ）に示す矢印Ｅ−Ｅに沿って見た断面図である。
図３３を参照して、このパッキン５２Ａは、上記実施形態に係るパッキン５２と同様に、ゴムなどの弾性体により弾性変形可能に形成され、集塵室１３の前面壁１３Ａに形成された開口５１を開閉するための略円形の弁体９５と、開口５１に取り付けられた略円環状の部材であって、その内周面上部に弁体９５の周縁部の上端部が連結されることにより弁体９５を回動可能に保持する弁保持体９６とを備えている。弁保持体９６の構成は、上記実施形態に係るパッキン５２と同様の構成を有しているので、図に同一符号を付してその説明を省略することとする。
【００７９】
弁体９５の前面には、弁体９５と弁保持体９６との結合部の左右両側に、上下方向に直線上に延びる１対の第１補強リブ９７Ａが突出形成されている。また、弁体９５の後面には、弁体９５と弁保持体９６との結合部よりも下方における周縁部に、円弧状の第２補強リブ９８Ａが突出形成されている。弁体９５における弁保持体９６との結合部近傍（より具体的には、結合部の直下方側）には補強リブが形成されておらず、この部分は、開口５１を開閉するために弁体９５が折れ曲がる折曲部９９Ａを形成している。このような構成により、弁体９５を折曲部９９Ａで良好に折り曲げることができるとともに、折曲部９９Ａ以外の部分において補強リブ９７Ａ，９８Ａにより弁体９５の厚みを増加させることができるので、弁体９５と弁保持体９６との結合部近傍の厚みを薄く形成するような構成（図３２参照）と比較して、弁体９５の強度を向上することができる。
【００８０】
この発明は、以上の実施形態の内容に限定されるものではなく、請求項記載の範囲内において種々の変更が可能である。
たとえば、集塵フィルタに関連する発明以外は、紙パックなどの集塵フィルタ７内に塵埃を捕獲するような紙パック式の電気掃除機に限らず、電気掃除機本体に吸い込まれた塵埃を含む空気を旋回させることにより、塵埃を遠心力により空気から分離して捕獲するような旋回式（いわゆるサイクロン式）の電気掃除機にも適用可能である。
【図面の簡単な説明】
【００８１】
【図１】この発明の一実施形態に係る電気掃除機の外観構成を示す側面図であって、吸込具の一部を断面図で示している。
【図２】電気掃除機の本体を左手前側上方から見た斜視図である。
【図３】この本体の左側面図である。
【図４】この本体の背面図である。
【図５】この本体の平面図である。
【図６】この本体の底面図である。
【図７】ハンドルの回動態様を示す本体の左側面図である。
【図８】ハンドルの回動態様を示す本体の斜視図であって、本体を左後側上方から見た図を示している。
【図９】従来のハンドルの構成について説明するための電気掃除機本体の側面図である。
【図１０】従来のハンドルの構成について説明するための電気掃除機本体の側面図である。
【図１１】ハンドルの外観図であって、（ａ）は、収容状態におけるハンドルの平面図、（ｂ）は、収容状態におけるハンドルの正面図、（ｃ）は、収容状態におけるハンドルの左側面図をそれぞれ示している。
【図１２】ハンドルを取り外した状態における上ハウジングの平面図である。
【図１３】ハンドルを取り外した状態における上ハウジングの左側面図である。
【図１４】ハンドルが把持可能状態にあるときの上ハウジングの平面図である。
【図１５】ハンドルが把持可能状態にあるときの上ハウジングの左側面図である。
【図１６】発光機構の構成を示す斜視図である。
【図１７】発光機構の構成例を示す図であって、発光機構を左右方向に沿った鉛直面で切断したときの断面図である。
【図１８】電気掃除機の本体を前後方向に沿った鉛直面で切断したときの断面を左側から見た断面図である。
【図１９】上ハウジングを取り外した状態における本体の平面図である。
【図２０】図１８に示す矢印Ａ−Ａに沿って見た本体の断面図である。
【図２１】上ハウジングを取り外した状態における本体の背面図である。
【図２２】図２１に示す矢印Ｂ−Ｂに沿って見た断面図であって、送風ユニットを省略して示している。
【図２３】送風ユニットを左手前側上方から見た斜視図である。
【図２４】送風ユニットの平面図である。
【図２５】電気掃除機の本体をリールユニットの直右方において前後方向に延びる鉛直面に沿って切断したときの断面を右側から見た断面図である。
【図２６】リールユニットの右側面図である。
【図２７】リールサポータの外観構成を示す図であって、（ａ）は右側面図、（ｂ）は背面図をそれぞれ示している。
【図２８】ブレーキアームの外観構成を示す図であって、（ａ）は平面図、（ｂ）は背面図、（ｃ）は左側面図をそれぞれ示している。
【図２９】集塵室の前面壁に形成された開口に取り付けられるパッキンの一例を示す斜視図である。
【図３０】このパッキンの構成を示す図であって、（ａ）は背面図、（ｂ）は（ａ）に示す矢印Ｃ−Ｃに沿って見た断面図である。
【図３１】このパッキンが取り付けられた状態における電気掃除機本体を前後方向に沿った鉛直面で切断したときの断面を左側から見た断面図である。
【図３２】従来の電気掃除機に備えられた逆止弁の構成例を示す図であって、（ａ）は正面図、（ｂ）は（ａ）に示す矢印Ｄ−Ｄに沿って見た断面図である。
【図３３】上記実施形態の変形例に係るパッキンを示す図であって、（ａ）は正面図、（ｂ）は（ａ）に示す矢印Ｅ−Ｅに沿って見た断面図である。
【符号の説明】
【００８２】
３  本体
５  接続ホース
７  集塵フィルタ
１１  ハウジング
１２  吸込口
１３  集塵室
１８  排気孔
２３  ハンドル
２３Ｂ  上角部
２３Ｃ  下角部
２４  段部
３４Ａ  平坦面
３６Ａ  第１鉛直面
３６Ｂ  第２鉛直面
５１  開口
５２，５２Ａ  パッキン
５７  区画壁
５８  開口
６４  コード収容室
６７Ｂ  周面板
６９  下方リブ
７０  後方リブ
８７  排気孔
９５  弁体
９６  弁保持体
９７，９７Ａ  第１補強リブ
９８，９８Ａ  第２補強リブ
１００  突起
【図１】
2006174858.tif 000003
【図２】
2006174858.tif 000004
【図３】
2006174858.tif 000005
【図４】
2006174858.tif 000006
【図５】
2006174858.tif 000007
【図６】
2006174858.tif 000008
【図７】
2006174858.tif 000009
【図８】
2006174858.tif 000010
【図９】
2006174858.tif 000011
【図１０】
2006174858.tif 000012
【図１１】
2006174858.tif 000013
【図１２】
2006174858.tif 000014
【図１３】
2006174858.tif 000015
【図１４】
2006174858.tif 000016
【図１５】
2006174858.tif 000017
【図１６】
2006174858.tif 000018
【図１７】
2006174858.tif 000019
【図１８】
2006174858.tif 000020
【図１９】
2006174858.tif 000021
【図２０】
2006174858.tif 000022
【図２１】
2006174858.tif 000023
【図２２】
2006174858.tif 000024
【図２３】
2006174858.tif 000025
【図２４】
2006174858.tif 000026
【図２５】
2006174858.tif 000027
【図２６】
2006174858.tif 000028
【図２７】
2006174858.tif 000029
【図２８】
2006174858.tif 000030
【図２９】
2006174858.tif 000031
【図３０】
2006174858.tif 000032
【図３１】
2006174858.tif 000033
【図３２】
2006174858.tif 000034
【図３３】
2006174858.tif 000035